(57)【要約】【課題】簡単な構造でディスクカートリッジの位置決めと逆入れ防止、さらにディスクカートリッジの着脱を容易にした光ディスク装置を提供する。【解決手段】筐体２と、この筐体２に挿入又は排出されディスクを内包したディスクカートリッジ１０を載置するディスクトレイ５０とを有するディスク駆動装置において、ディスクカートリッジ１０の位置決め案内孔に挿入可能なガイド部材３０と、このガイド部材３０に接続され、ディスクカートリッジ１０の有無又は消去防止検出の判別を行う基板３２と、この基板３２に接続され、ディスクカートリッジ１０の消去防止検出用案内孔に挿入可能な検出スイッチ３３とを具備することを特徴とする。【選択図】      図８
2005050392.tif 000002
【特許請求の範囲】
【請求項１】
筐体と、この筐体に挿入又は排出されディスクを内包したディスクカートリッジを載置するディスクトレイとを有するディスク駆動装置において、
前記ディスクカートリッジの位置決め案内孔に挿入可能なガイド部材と、
このガイド部材に接続され、前記ディスクカートリッジの有無又は消去防止検出の判別を行う基板と、
この基板に接続され、前記ディスクカートリッジの消去防止検出用案内孔に挿入可能な検出スイッチとを具備することを特徴とするディスク駆動装置。
【請求項２】
前記ガイド部材は、ガイドピンとガイドピンを保持するホルダーから構成されていることを特徴とする請求項１記載のディスク駆動装置。
【請求項３】
前記ホルダーは、前記ディスクトレイの挿入又は排出の際に回転駆動するスパイラルカムと接触する突起部を有し、前記スパイラルカムの回転駆動に伴って昇降することを特徴とする請求項２記載のディスク駆動装置。
【請求項４】
前記スパイラルカムは、リブ状のカム面で形成され、前記突起部はこのカム面に接触していることを特徴とする請求項３記載のディスク駆動装置。
【発明の詳細な説明】
【０００１】
【発明の属する技術分野】
この発明は、カートリッジに収納される記録媒体、特に光ディスクに情報を記録又は再生および記録再生する場合に用いて好適なディスク駆動装置に関する。
【０００２】
【従来の技術】
近年、情報記憶媒体として光ディスクが広く使用されている。このような光ディスクの中には、光ディスクの損傷、汚れの付着等を防止するため、ディスクカートリッジ内に収納された状態で使用されるものが提供されている。
【０００３】
このようなディスクカートリッジは、通常、光ディスクを収納した偏平なケースを有し、このケースの両面には、光ディスクを露出するための窓部がそれぞれ形成されている。また、ケースには、一般に情報等を記録可能な状態と記録不能な状態とに設定する誤消去防止機構が設けられており、貴重な情報が誤って消去されないように構成されている。さらに、このケースには誤消去防止機構とともにディスクカートリッジを位置決めするための位置決め用案内孔が設けられ、ディスクカートリッジ装填時にガイドピンによって固定されるようになっている。
【０００４】
一方、上記光ディスクに対して情報の読み出し、書き込み等の処理を行うディスク駆動装置は、前面に挿通口が設けられた矩形箱状の筐体と、ディスクカートリッジが載置されるディスクトレイとを備えられている。この筐体内部には、光ディスクを支持するターンテーブル、光ディスクに対して情報の読み出し、書き込みを行う光ヘッド、ターンテーブルを駆動するモータ、ターンテーブル上に載置された光ディスクをクランプするクランプホルダ等が設けられている。また、ディスクトレイには、筐体内部に対し、挿通口を通して引き込みおよび引き出し可能に設けられ、矩形状のガイドでディスクカートリッジを囲う収納部があり、１２ｃｍ、８ｃｍディスク収納部と一体となった可動式のディスクカートリッジ先端保持部がある。
【０００５】
ディスクカートリッジ挿入時には、ディスクカートリッジ先端保持部が挿入方向にスライドしてディスクカートリッジが所定の位置に装填される。ディスクカートリッジ先端保持部には排出方向へバネ力が働いており、ディスクカートリッジ排出時の補助力となっている。
【０００６】
従来、例えばＤＶＤ（Ｄｉｇｉｔａｌ  Ｖｅｒｓａｔｉｌｅ  Ｄｉｓｋ）−ＲＡＭ（Ｒａｎｄｏｍ  Ａｃｃｅｓｓ  Ｍｅｍｏｒｙ）のように裸の光ディスクとカートリッジに収納された光ディスクの両方を扱う装置において、ディスクカートリッジの誤消去防止機構と対向する位置に、第１および第２のセンサが一体に組合された複合センサをホルダーに配設し、誤消去防止機構の切替状態に応じて、当該複合センサを構成する第１および第２のセンサを選択的に動作するように構成したものが公開されている（例えば、特許文献１参照）。
【０００７】
【特許文献１】
特開平３−２２４１７２号公報
【０００８】
【発明が解決しようとする課題】
このように従来のディスク駆動装置は、ディスクカートリッジに設けられた誤消去防止機構の切替状態に応じて複合センサの第１、第２のセンサを選択的に動作させる構造となっている。すなわち、従来１つのセンサが設定されていたスペースに２つのセンサを設定してセンサの設定スペースを小型化していた。しかしながら、ディスクカートリッジには誤消去防止機構の他にディスクカートリッジを支持するための位置決め用案内孔が設けられ、この位置決め用案内孔に挿入するためのガイド機構は特に考慮されていない。したがって、従来のディスク駆動装置において、誤消去防止機構とガイド機構は分離された構成となっているため、構造が複雑になり確実な検出動作を保障するという点で信頼性が低く、また部品点数の増加、装置の小型化及びコストダウンが困難となっていた。
【０００９】
本発明はこのような課題を解決するためのもので、カートリッジ用のガイドピンが一体化されたホルダーとカートリッジ及び消去防止検出用スイッチを一体化させることにより、検出構造を簡素化し、確実な検出動作を行うディスク駆動装置を実現することを目的とする。
【００１０】
【課題を解決するための手段】
この発明は、上記の目的を達成するために、筐体と、この筐体に挿入又は排出されディスクを内包したディスクカートリッジを載置するディスクトレイとを有するディスク駆動装置において、前記ディスクカートリッジの位置決め案内孔に挿入可能なガイド部材と、このガイド部材に接続され、前記ディスクカートリッジの有無又は消去防止検出の判別を行う基板と、この基板に接続され、前記ディスクカートリッジの消去防止検出用案内孔に挿入可能な検出スイッチとを具備することを特徴とする。
【００１１】
上記の構成により、ガイドピンを装備したホルダーと検出スイッチを一体化することにより、簡易な構造で、カートリッジの位置規制とカートリッジの有無又は消去防止検出動作を確実に行わせることができる。
【００１２】
【発明の実施の形態】
以下図面を参照しながら、この発明の実施の形態に係るディスク駆動装置について詳細に説明する。
図１は、ディスク駆動装置の全体を示す斜視図である。図に示すように、ディスク駆動装置１００は、装置の大枠を司るフレーム（筐体）２と、フレーム２内に収納されスピンドルモータや光ピックアップ等を搭載するトラバースメカ４と、トラバースメカ４を昇降させるための昇降保持部材２０と、ローディング及びアンローディングするためのモータ２７等から構成されており、トラバースメカ４はフレーム２及び昇降保持部材にダンパー（弾性部材）３を介して取り付けられ、トラバースメカ４単独でダンピング可能な構造となっている。
【００１３】
図２及び図３は、ディスク駆動装置の基本動作の概略を示す斜視図である。図に示すように、モータ２７の軸に圧入されたプーリー２６からベルトを介してギア一体プーリー２４、中継ギア２３、トレイ駆動ギア２２へと動力が伝達され、トラバースメカ昇降用のスライダー２１が左右方向に移動される。昇降保持部材２０は、トラバースメカ昇降用スライダー２１のカム溝２１ａと連結されており、このスライダー２１の動作に連動して、回転軸２０ａを支点に回動し、昇降動作を行なう。これにより、トラバースメカ４も昇降保持部材２０と共に昇降動作を行なう。
【００１４】
図４は、ディスクカートリッジガイド構造を示す概略図であり、図５はガイドピン一体ホルダーが最上点に位置したときの図であり、図６はガイドピン一体ホルダーが最下点に位置したときの図である。図４に示すように、基本構成としては、トラバースメカ昇降用スライダー２１、ガイドピン一体ホルダー（ガイド部材）３０、ホルダー昇降用ガイド軸３１、検出スイッチ用基板３２、検出スイッチ３３、ギア一体スパイラルカム３４、連結ギア３５、中継スライダー３６、検出スイッチ用ＦＦＣ３７、サブ基板３８とからなる。
【００１５】
検出スイッチ３３は、検出スイッチ用基板３２を介してガイドピン一体ホルダー３０に取り付けられている。すなわち、ガイドピン一体ホルダー３０は検出スイッチ用基板３２と接続されており、この検出スイッチ用基板３２は検出スイッチ３３と接続されている。検出スイッチ３３で検知した信号は検出スイッチ用基板を介し検出スイッチ用ＦＦＣ３７を用いてサブ基板３８に接続される。なお、ガイドピン一体ホルダー３０はガイド軸３１に沿って上下方向に昇降可能となっている。
【００１６】
中継スライダー３６は、トラバースメカ昇降用スライダー２１と連結され、連結ギア３５を介してスパイラルカム３４のギア部と噛み合っている。このギア一体スパイラルカム３４は、スライダーの左右移動に対して右回り（時計回り）及び左周り（反時計回り）方向に回転する構造となっている。また、スパイラルカム３４はリブ状のカム面で形成されており、ガイドピン一体ホルダー３０に設けられた２本の突起３０ｂ（図５参照）がこれに係合され、スパイラルカム３４が回転することにより、ガイドピン一体ホルダー３０は昇降動作を行なう。トラバースメカ昇降用スライダー２１が右端（Ａ方向）まで移動すると、ガイドピン一体ホルダー３０は図５に示すように最上点まで上昇する。反対に、スライダー２１が左端（Ｂ方向）まで移動すると、ガイドピン一体ホルダー３０は図６に示すように最下点まで下降する。検出スイッチ３３は、検出スイッチ用基板３２を介してホルダー３０に取り付けられているため、ホルダー３０と同期して上下方向に昇降動作を行なう。
【００１７】
次に、ディスクカートリッジについて説明する。図７（ａ）はディスクカートリッジを示す斜視図であり、図７（ｂ）はシャッターを開放した状態におけるディスクカートリッジを示す斜視図である。
【００１８】
光ディスクには片面記録のものと両面記録のものがあり、片面記録の場合には図７（ａ）、（ｂ）に示されるようなディスクカートリッジが使用される。図７（ａ）、（ｂ）に示すように、ディスクカートリッジ１０は、ディスク状の記録媒体として、光ディスク１４を収納した偏平な矩形状のケース１２を備えている。カートリッジ本体として機能するケース１２は、ほぼ同一構造を有する一対のハーフケース１３ａ、１３ｂを接合することにより形成されている。
【００１９】
光ディスク１４の表面と対向しているケース１２の上壁および下壁、つまり、ハーフケース１３ａ、１３ｂの主壁１１ａ、１１ｂには、光ディスク１４へアクセスするための窓部１６がそれぞれ形成され、互いに対向している。各窓部１６は、それぞれケース１２のほぼ中央から、後述する光ディスク装置に対するディスクカートリッジ１０の挿入方向Ａに向かって、ケース１２の前端面１２ａ近傍まで延びている。
【００２０】
ケース１２内に収納された光ディスク１４の中心部には、中心孔１９および中心孔の周囲に位置したクランプ領域１８が設けられている。そして、中心孔１９、クランプ領域１８、および光ディスク１４の片面の一部は、窓部１６を通して露出している。
【００２１】
ケース１２には、窓部１６を開閉する両面一体型のシャッター２８が摺動自在に取り付けられている。シャッター２８は、それぞれ窓部１６を開閉する一対の矩形状の遮蔽板２８ａと、これら遮蔽板の前端どうしを連結しているとともにケース前端面１２ａと対向した連結板２８ｂとを有し、断面Ｕ字形状に形成されている。そして、シャッター２８は、ケース１２の前端面１２ａ側からケース１２の両表面側を挟むようにして取り付けられている。
【００２２】
シャッター２８は、図７（ａ）に示すように、窓部１６を閉塞する閉塞位置と、図７（ｂ）に実線および２点鎖線でそれぞれ示すように、閉塞位置の両側に位置しそれぞれ窓部１６を開放する２つの開放位置と、の間をケース１２の前端面１２ａと平行な方向、つまり、ディスクカートリッジ１０の挿入方向Ａと直行する開閉方向Ｂに沿って摺動可能となっている。シャッター２８は、ケース１２内で窓部１６の両側に配設された図示しない２つのシャッターばねにより常時閉塞位置に向かって付勢されている。
【００２３】
ハーフケース１３ａ、１３ｂの表面の内、シャッター２８の遮蔽板２８ａが摺動する領域は、浅い矩形状の凹所１５として形成され、窓部１６もこの凹所内に形成されている。
【００２４】
各ハーフケース１３ａ、１３ｂの主壁１１ａ、１１ｂの後端部中央および後端面中央部には、ラベル貼付部６が連続して形成されている。ケース１２の両側壁１２ｂ、１２ｃの後端部には、ディスク駆動装置のトレイに対してディスクカートリッジ１０を位置決めするための案内溝１７がそれぞれ形成されているとともに、両側壁１２ｂ、１２ｃの前端部には、ディスク駆動装置側のローディング機構を引っ掛けるための凹所７がそれぞれ形成されている。また、主壁１１ｂに形成されたラベル貼付部６の両側には、情報等を記録可能な状態と記録不能な状態とに設定する消去防止検出用案内孔１０ｂが設けられており、貴重な情報が誤って消去されないように構成されている。さらに、消去防止検出用案内孔１０ｂとともにディスクカートリッジを位置決めするための位置決め用案内孔１０ａが設けられ、ディスクカートリッジ装填時にガイドピンによって固定されるように形成されている。
【００２５】
図８は、ディスクカートリッジにガイドピン及び検出スイッチが係合した状態を示す斜視図である。ディスクカートリッジ１０には上述したように位置決め用案内孔１０ａ及び消去防止検出用案内孔１０ｂが設けられている。ディスクカートリッジ１０の位置決め用案内孔１０ａにホルダー３０のガイドピン３０ａが挿入されることにより、ディスクカートリッジ１０前方部における前後左右方向の規制が行なわれる。また、ガイドピン３０ａが挿入されるのとほぼ同時に、検出スイッチ３３がディスクカートリッジ１０に接触し、ディスクカートリッジ有無の判別及び消去防止検出用案内孔１０ｂのプロテクト状態を判別する。
【００２６】
図９は、ディスクトレイ引き込み状態のディスク駆動装置の斜視図である。ディスクトレイ５０には、ディスクカートリッジ１０のシャッター２８を開閉するためのシャッター開閉部材４０が取り付けられている。このシャッター開閉部材４０は、ディスクトレイ５０のディスク駆動装置内への引き込み及び排出動作により、ディスク駆動装置内のガイドレール（不図示）に沿ってシャッター開閉部材４０がスライドし、シャッターを開閉するようになっている。また、ディスクトレイ５０の左側壁後方には、ディスクカートリッジ１０の位置規制用のガイドリブ５０ａが設けられている。
【００２７】
図１０は、ディスクカートリッジ装着状態のディスク駆動装置の斜視図である。ディスクカートリッジ１０がディスクトレイ５０を介してディスク駆動装置内へ引き込まれると、シャッター開閉部材４０によりディスクカートリッジ１０のシャッター２８がオープンされる。このとき、ディスクカートリッジ１０内にあるシャッタークローズ用のバネの反力がディスクカートリッジ１０に働き、シャッターオープン方向へカートリッジ１０が押し付けられ、ディスクトレイ５０のガイドリブ５０ａに突き当てられることにより、左右方向の位置規制が行なわれる。
【００２８】
このように、ディスクカートリッジ用のガイドピンが一体化されたホルダーとカートリッジ及び消去防止検出用スイッチを一体化させることにより、特別な検出機構を設ける必要がなく、構造の簡素化が図れ、かつカートリッジのガイドとカートリッジ及び消去防止検出動作を確実に行なわせることが可能となる。なお、本発明では、検出用スイッチが基板を介してホルダーに一体化された構造を取っているが、検出スイッチ用基板を介さず、検出用スイッチが直接ホルダーに一体化された構造、もしくは検出用スイッチ自体にカートリッジ用のガイドピンが設けられた構造を採用することにより、コストの低減が可能となる。
【００２９】
また、ホルダーの昇降駆動にスパイラルカムを使用している為、駆動系の部品配置の自由度が高く、構造部の省スペース化が可能となる。
なお、本発明は、上記実施形態に限定されるものではなく、実施段階では、その要旨を逸脱しない範囲で種々に変形することが可能である。
【００３０】
【発明の効果】
このように、ガイドピンを装備したホルダーと検出スイッチを一体化することにより、簡易な構造で、カートリッジの位置規制とカートリッジ有無の判別及び消去防止検出動作を確実に行なわせることが可能となる。
【図面の簡単な説明】
【図１】本実施の形態で説明するディスク駆動装置の全体を示す斜視図である。
【図２】ディスク駆動装置の基本動作の概略を示す斜視図である。
【図３】ディスク駆動装置の基本動作の概略を示す斜視図である。
【図４】ディスクカートリッジガイド構造を示す概略図である。
【図５】ガイドピン一体ホルダーが最上点に位置したときの図である。
【図６】ガイドピン一体ホルダーが最下点に位置したときの図である。
【図７】ディスクカートリッジの斜視図である。
【図８】ディスクカートリッジにガイドピン及び検出スイッチが係合した状態を示す斜視図である。
【図９】ディスクトレイ引き込み状態のディスク駆動装置の斜視図である。
【図１０】ディスクカートリッジ装着状態のディスク駆動装置の斜視図である。
【符号の説明】
２    フレーム
３    ダンパー
４    トラバースメカ
１０    カートリッジ
１０ａ    位置決め用案内孔
１０ｂ    消去防止検出用案内孔
１０ｃ    シャッター
２０    昇降保持部材
２０ａ    回転軸
２１    トラバースメカ昇降用スライダー
２２    トレイ駆動ギア
２１ａ    カム溝
２３    中継ギア
２４    ギア一体プーリー
２５    ベルト
２６    プーリー
２７    モーター
３０    ガイドピン一体ホルダー
３０ａ    ガイドピン
３０ｂ    突起
３１    ホルダー昇降用ガイド軸
３２    検出スイッチ用基板
３３    検出スイッチ
３４    ギア一体スパイラルカム
３４ａ    リブ状のカム面
３５    連結ギア
３６    中継スライダー
３７    検出スイッチ用ＦＦＣ
３８    サブ基板
４０    シャッター開閉部材
５０    ディスクトレイ
５０ａ    ガイドリブ
【図１】
2005050392.tif 000003
【図２】
2005050392.tif 000004
【図３】
2005050392.tif 000005
【図４】
2005050392.tif 000006
【図５】
2005050392.tif 000007
【図６】
2005050392.tif 000008
【図７】
2005050392.tif 000009
【図８】
2005050392.tif 000010
【図９】
2005050392.tif 000011
【図１０】
2005050392.tif 000012